(57)【特許請求の範囲】
【請求項１】
記録媒体上に形成すべき画像の画像データを取得する画像取得手段と、
前記画像取得手段が取得した画像データに基づき、複数枚の記録媒体を貼り合わせた時に該画像データに係る画像が得られるように該画像データに係る画像を該複数枚の記録媒体に分割して形成するための、該複数枚の記録媒体の各々と対応する画像データを生成する画像加工手段と、
前記画像取得手段が取得した画像データに付加すべき付加画像及び画像中での付加位置を取得する付加画像取得手段とを備え、
前記画像加工手段は、前記付加画像取得手段が前記付加画像及び前記付加位置を取得した場合に、前記複数枚の記録媒体を貼り合わせた状態で、前記付加画像が、該貼り合わせた記録媒体全体の中で前記付加位置に該当する位置に配置されるように、前記記録媒体の枚数と、画像形成方向とに基づき、どの記録媒体と対応する画像データのどの位置に前記付加画像を付加するかを決定し、その決定に従って付加画像を付加する画像付加手段を備え、
前記付加画像取得手段は、前記付加画像を一の記録媒体にのみ付加するか、全記録媒体に付加するかの設定も取得し、
前記画像付加手段は、前記付加画像取得手段が前記付加画像を全記録媒体に付加する設定を取得した場合は、前記複数枚の記録媒体を貼り合わせた状態で、前記付加画像が、該貼り合わせた記録媒体の各々の中で前記付加位置に該当する位置に配置されるように、画像形成方向に基づき、各記録媒体と対応する画像データのどの位置に前記付加画像を付加するかを決定することを特徴とする画像処理システム。
【請求項２】
請求項１に記載の画像処理システムであって、
前記画像付加手段は、前記決定した記録媒体において、貼り合わせ時にのりしろとなる領域を避けて、前記付加画像を付加することを特徴とする画像処理システム。
【請求項３】
請求項１又は２に記載の画像処理システムであって、
特定の付加画像を全記録媒体に付加することを強制する強制付加の設定を取得する強制設定取得手段を備え、
前記強制設定取得手段が前記強制付加の設定を取得した場合には、前記画像付加手段は、前記付加画像取得手段が取得した設定に関わらず、前記複数枚の記録媒体を貼り合わせた状態で、前記特定の付加画像が、該貼り合わせた記録媒体の各々の中で前記付加位置に該当する位置に配置されるように、画像形成方向に基づき、各記録媒体と対応する画像データのどの位置に前記付加画像を付加するかを決定することを特徴とする画像処理システム。
【請求項４】
請求項１乃至３のいずれか一項に記載の画像処理システムであって、
前記画像加工手段は、前記付加画像が文字列の画像であって、該付加画像が前記記録媒体１枚に収まらないと判断した場合に、該付加画像を、前記文字列を前記記録媒体１枚に収まるように途中で改行した文字列の画像として、前記付加を行うことを特徴とする画像処理システム。
【請求項５】
請求項１乃至３のいずれか一項に記載の画像処理システムであって、
前記画像加工手段は、前記付加画像が前記記録媒体１枚に収まらないと判断した場合に、前記画像取得手段が取得した画像データに基づく画像形成を中止すべき旨の情報を生成することを特徴とする画像処理システム。
【請求項６】
請求項１乃至５のいずれか一項に記載の画像処理システムであって、
前記画像加工手段が生成し、前記画像付加手段が前記付加画像を付加した画像データに基づき記録媒体に画像を形成する画像形成手段を備えることを特徴とする画像処理システム。
【請求項７】
一のコンピュータを、あるいは複数のコンピュータを協働させて、
記録媒体上に形成すべき画像の画像データを取得する画像取得手段と、
前記画像取得手段が取得した画像データに基づき、複数枚の記録媒体を貼り合わせた時に該画像データに係る画像が得られるように該画像データに係る画像を該複数枚の記録媒体に分割して形成するための、該複数枚の記録媒体の各々と対応する画像データを生成する画像加工手段と、
前記画像取得手段が取得した画像データに付加すべき付加画像及び画像中での付加位置を取得する付加画像取得手段として機能させるためのプログラムであって、
前記画像加工手段は、前記付加画像取得手段が前記付加画像及び前記付加位置を取得した場合に、前記複数枚の記録媒体を貼り合わせた状態で、前記付加画像が、該貼り合わせた記録媒体全体の中で前記付加位置に該当する位置に配置されるように、前記記録媒体の枚数と、画像形成方向とに基づき、どの記録媒体と対応する画像データのどの位置に前記付加画像を付加するかを決定し、その決定に従って付加画像を付加する画像付加手段を備え、
前記付加画像取得手段は、前記付加画像を一の記録媒体にのみ付加するか、全記録媒体に付加するかの設定も取得し、
前記画像付加手段は、前記付加画像取得手段が前記付加画像を全記録媒体に付加する設定を取得した場合は、前記複数枚の記録媒体を貼り合わせた状態で、前記付加画像が、該貼り合わせた記録媒体の各々の中で前記付加位置に該当する位置に配置されるように、画像形成方向に基づき、各記録媒体と対応する画像データのどの位置に前記付加画像を付加するかを決定することを特徴とするプログラム。
【請求項８】
請求項７に記載のプログラムであって、
前記画像付加手段は、前記決定した記録媒体において、貼り合わせ時にのりしろとなる領域を避けて、前記付加画像を付加することを特徴とするプログラム。
【請求項９】
請求項７又は８に記載のプログラムであって、
前記一のコンピュータを、あるいは前記複数のコンピュータを協働させて、
特定の付加画像を全記録媒体に付加することを強制する強制付加の設定を取得する強制設定取得手段として機能させるためのプログラムをさらに備え、
前記強制設定取得手段が前記強制付加の設定を取得した場合には、前記画像付加手段は、前記付加画像取得手段が取得した設定に関わらず、前記複数枚の記録媒体を貼り合わせた状態で、前記特定の付加画像が、該貼り合わせた記録媒体の各々の中で前記付加位置に該当する位置に配置されるように、画像形成方向に基づき、各記録媒体と対応する画像データのどの位置に前記付加画像を付加するかを決定することを特徴とするプログラム。
【請求項１０】
請求項７乃至９のいずれか一項に記載のプログラムであって、
前記画像加工手段は、前記付加画像が文字列の画像であって、該付加画像が前記記録媒体１枚に収まらないと判断した場合に、該付加画像を、前記文字列を前記記録媒体１枚に収まるように途中で改行した文字列の画像として、前記付加を行うことを特徴とするプログラム。
【請求項１１】
請求項７乃至９のいずれか一項に記載のプログラムであって、
前記画像加工手段は、前記付加画像が前記記録媒体１枚に収まらないと判断した場合に、前記画像取得手段が取得した画像データに基づく画像形成を中止すべき旨の情報を生成することを特徴とするプログラム。
【請求項１２】
請求項７乃至１１のいずれか一項に記載のプログラムであって、
前記一のコンピュータを、あるいは前記複数のコンピュータを協働させて、
前記画像加工手段が生成し、前記画像付加手段が前記付加画像を付加した画像データに基づき画像形成手段を制御して記録媒体に画像を形成させる制御手段として機能させるためのプログラムをさらに含むことを特徴とするプログラム。
【請求項１３】
記録媒体上に形成すべき画像の画像データを取得する画像取得手段と、
前記画像取得手段が取得した画像データに基づき、複数枚の記録媒体を貼り合わせた時に該画像データに係る画像が得られるように該画像データに係る画像を該複数枚の記録媒体に分割して形成するための、該複数枚の記録媒体の各々と対応する画像データを生成する画像加工手段と、
前記画像取得手段が取得した画像データに付加すべき付加画像及び画像中での付加位置を取得する付加画像取得手段とを備え、
前記画像加工手段は、前記付加画像取得手段が前記付加画像及び前記付加位置を取得した場合に、前記複数枚の記録媒体を貼り合わせた状態で、前記付加画像が、該貼り合わせた記録媒体全体の中で前記付加位置に配置されるように、前記記録媒体の枚数と、画像形成方向とに基づき、どの記録媒体と対応する画像データのどの位置に前記付加画像を付加するかを決定し、その決定に従って付加画像を付加する画像付加手段を備え、
前記付加画像取得手段は、前記付加画像を一の記録媒体にのみ付加するか、全記録媒体に付加するかの設定も取得し、
前記画像付加手段は、前記付加画像取得手段が前記付加画像を全記録媒体に付加する設定を取得した場合は、前記複数枚の記録媒体を貼り合わせた状態で、前記付加画像が、該貼り合わせた記録媒体の各々の中で前記付加位置に該当する位置に配置されるように、画像形成方向に基づき、各記録媒体と対応する画像データのどの位置に前記付加画像を付加するかを決定することを特徴とする画像処理装置。
【発明の詳細な説明】
【技術分野】
【０００１】
この発明は、画像処理システム、プログラム及び画像処理装置に関する。
【背景技術】
【０００２】
従来から、画像形成装置において、原稿を読み取って得た画像データを複数に分割して各々拡大し、この分割及び拡大された複数の分割画像データを、複数の転写紙にのりしろを設けつつ個々に印刷出力する機能が知られている。ユーザは、図２５に示すようにこの出力された複数の転写紙をのりしろＡで貼り合わせることにより、１枚の大きな印刷出力物を得ることができる。このような出力機能は拡大連写と呼ばれ、例えば特許文献１に記載されている。
【０００３】
また、これとは別に、印刷対象の画像に対し、ユーザが指定した画像をユーザが指定した位置に付加して印刷する機能も知られている。図２６には、画像を右下に付加した例を示すが、付加する画像は、（ａ）に示すようなユーザ名、（ｂ）に示すようなページ番号、（ｃ）に示すような日付など、様々である。
【発明の概要】
【発明が解決しようとする課題】
【０００４】
ところで、上述した拡大連写機能と、画像の付加機能とを組み合わせて用いる場合、単純に組み合わせると出力物が不自然な外観になってしまうことが考えられる。例えば、拡大連写で設けるのりしろの位置にかかるように画像を付加してしまうと、転写紙を貼り合わせた状態では付加した画像の一部が隠れてしまうことになる。
【０００５】
この発明は、このような事情に鑑みてなされたものであり、複数枚の記録媒体を貼り合わせた時に画像データに係る画像が得られるようにその画像データに係る画像を複数枚の記録媒体に分割して形成する場合において、他の画像を付加して画像を形成しても自然な仕上がりを得られるようにすることを目的とする。
【課題を解決するための手段】
【０００６】
この発明は、上記の目的を達成するため、画像処理システムにおいて、記録媒体上に形成すべき画像の画像データを取得する画像取得手段と、上記画像取得手段が取得した画像データに基づき、複数枚の記録媒体を貼り合わせた時にその画像データに係る画像が得られるようにその画像データに係る画像をその複数枚の記録媒体に分割して形成するための、その複数枚の記録媒体の各々と対応する画像データを生成する画像加工手段と、上記画像取得手段が取得した画像データに付加すべき付加画像及び画像中での付加位置を取得する付加画像取得手段とを設け、上記画像加工手段に、上記付加画像取得手段が上記付加画像及び上記付加位置を取得した場合に、上記複数枚の記録媒体を貼り合わせた状態で、上記付加画像が、その貼り合わせた記録媒体全体の中で上記付加位置に該当する位置に配置されるように、上記記録媒体の枚数と、画像形成方向とに基づき、どの記録媒体と対応する画像データのどの位置に上記付加画像を付加するかを決定し、その決定に従って付加画像を付加する画像付加手段を設け、上記付加画像取得手段が、上記付加画像を一の記録媒体にのみ付加するか、全記録媒体に付加するかの設定も取得し、上記画像付加手段が、上記付加画像取得手段が上記付加画像を全記録媒体に付加する設定を取得した場合は、上記複数枚の記録媒体を貼り合わせた状態で、上記付加画像が、その貼り合わせた記録媒体の各々の中で上記付加位置に該当する位置に配置されるように、画像形成方向に基づき、各記録媒体と対応する画像データのどの位置に上記付加画像を付加するかを決定するようにしたものである。
【発明の効果】
【０００７】
上記構成によれば、複数枚の記録媒体を貼り合わせた時に画像データに係る画像が得られるようにその画像データに係る画像を複数枚の記録媒体に分割して形成する場合において、他の画像を付加して画像を形成しても自然な仕上がりを得られるようにすることができる。
【図面の簡単な説明】
【０００８】
【図１】この発明の画像処理装置及び画像処理システムの一実施形態であるＭＦＰのハードウェア構成を示す図である。
【図２】拡大連写機能を使用して画像形成を行う場合に図１に示したＭＦＰのＣＰＵが実行する処理のフローチャートである。
【図３】３×３分割の場合の読取領域の設定例を示す図である。
【図４】画像データの拡大の例を示す図である。
【図５】画像付加機能を使用して画像形成を行う場合に図１に示したＭＦＰのＣＰＵが実行する処理のフローチャートである。
【図６】図５の各ステップにおける処理の内容を模式的に示す図である。
【図７】拡大連写設定画面の例を示す図である。
【図８】画像付加設定画面の例を示す図である。
【図９】図１に示したＭＦＰのＣＰＵが実行する画像形成処理の第１例を示すフローチャートである。
【図１０】図９の各ステップにおける処理の内容を模式的に示す図である。
【図１１】画像形成処理の第２例において、図９のステップＳ４４乃至Ｓ４７と置き換える処理のフローチャートである。
【図１２】のりしろを考慮した付加位置の特定について説明するための図である。
【図１３】付加画像を転写紙１枚のみに付加する設定がなされている場合の、画像形成処理の第２例による仕上がり例を示す図である。
【図１４】付加画像を全転写紙に付加する設定がなされている場合の、画像形成処理の第２例による仕上がり例を示す図である。
【図１５】比較例による図１４と対応する仕上がり例を示す図である。
【図１６】画像形成処理の第３例において、図１１のステップＳ４７及びＳ６３で実行する処理のフローチャートである。
【図１７】画像形成処理の第３例による仕上がり例を示す図である。
【図１８】画像形成処理の第４例において、図９のステップＳ４４乃至Ｓ４７と置き換える処理のフローチャートである。
【図１９】画像形成処理の第４例による仕上がり例を示す図である。
【図２０】画像形成処理の第５例において、図１６の処理と置き換える処理のフローチャートである。
【図２１】画像形成処理の第５例による仕上がり例を示す図である。
【図２２】画像形成処理の第５例の変形例による仕上がり例を示す図である。
【図２３】画像形成処理の第６例において、図１６の処理と置き換える処理のフローチャートである。
【図２４】拡大倍率とフォントサイズの関係の例を示す図である。
【図２５】従来の拡大連写機能について説明するための図である。
【図２６】従来の画像付加機能について説明するための図である。
【発明を実施するための形態】
【０００９】
以下、この発明の実施形態について、図面を参照しつつ説明する。
次に、図１に、この発明の画像処理装置及び画像処理システムの一実施形態であるＭＦＰ（デジタル複合機：Multi  Function  Peripheral）のハードウェア構成を示す。
ＭＦＰ１０は、原稿の画像を読み取ってその画像データを取得する画像読取手段と、画像データに基づき転写紙をはじめとする記録媒体に画像を形成する画像形成手段とを備える。そして、コピー、プリント、スキャン、ファクシミリ通信、文書蓄積等の種々の機能を実現する画像処理装置である。記録媒体は、樹脂によるシートやフィルムであってもよい。
【００１０】
図１に示すように、ＭＦＰ１０は、ハードウェアとしてはＣＰＵ１０１、ＲＯＭ１０２、ＲＡＭ１０３、ＨＤＤ（ハードディスクドライブ）１０４、通信Ｉ／Ｆ（インタフェース）１０５、操作部１０６、表示部１０７、エンジンＩ／Ｆ１０８を備え、これらをシステムバス１１０により接続した構成としている。また、エンジンＩ／Ｆ１０８にはエンジン部１０９が接続される。
【００１１】
そして、ＣＰＵ１０１が、ＲＡＭ１０３をワークエリアとしてＲＯＭ１０２あるいはＨＤＤ１０４に記憶されたプログラムを実行することにより、ＭＦＰ１０全体を制御し、後述する拡大連写や画像付加印刷をはじめとする種々の機能を実現する。
ＲＯＭ１０２及びＨＤＤ１０４は、不揮発性記憶媒体（記憶手段）であり、ＣＰＵ１０１が実行する各種プログラムや後述する各種データを格納している。
通信Ｉ／Ｆ１０５は、ネットワーク等の通信路を介して他の装置と通信するためのインタフェースである。使用する通信路の規格に応じたものを設ければよい。
【００１２】
操作部１０６は、ユーザからの操作を受け付けるための操作手段である。各種ボタンやスイッチの他、タッチパネルを備え、表示部１０７が表示するＧＵＩ（グラフィカルユーザインタフェース）に対する操作を受け付けることができる。
表示部１０７は、上記ＧＵＩの他、ＭＦＰ１０の動作状態や設定内容、メッセージ等をユーザに提示するための提示手段であり、液晶ディスプレイやランプ等を備える。
【００１３】
エンジンＩ／Ｆ１０８は、エンジン部１０９をシステムバス１１０に接続し、ＣＰＵ１０１から制御可能とするためのインタフェースである。また、エンジン部１０９は、上述した画像形成手段や画像読取手段等、機械的な動きを含む機能を実現するためのモジュールである。
【００１４】
この実施形態において特徴的な点の一つは、複数枚の記録媒体を貼り合わせた時に画像データに係る画像が得られるようにその画像データに係る画像をその複数枚の記録媒体に分割して形成する拡大連写機能と、付加画像を所望の位置に付加して画像を形成する画像付加機能とを併用した場合の、各記録媒体と対応する画像データの生成処理である。
【００１５】
以下、この点を中心に説明するが、その前に、拡大連写機能と画像付加機能とをそれぞれ単独で使用した場合のＭＦＰ１０の動作について説明する。また、以下の例では原稿を読み取って得た画像データに基づき画像形成を行う例について説明するが、既に読み取りその他の手段で生成して保存されている画像データに基づいても同様の画像形成が可能であることはもちろんである。
【００１６】
まず拡大連写機能を使用して画像形成を行う場合にＭＦＰ１０のＣＰＵ１０１が実行する処理について説明する。
図２は、この処理のフローチャートである。
ＭＦＰ１０のＣＰＵ１０１は、原稿が読み取り台に載置された状態で拡大連写機能を使用した画像形成の実行が指示されると、図２のフローチャートに示す処理を開始する。なお、拡大連写機能を使用するに当たっては、使用する転写紙のサイズ及び方向（画像をどの向きに形成するかを示す画像形成方向）と、元の画像を何枚の転写紙に分割して形成するかを示す分割数とを設定するものとする。ユーザがこれらの値のいずれかを設定しなかった場合、ＣＰＵ１０１が自動的に所定のデフォルト値を設定する。
【００１７】
図２の処理において、ＣＰＵ１０１はまず、載置された原稿のサイズ及び方向を取得する（Ｓ１１）。また、設定された転写紙のサイズ、方向及び分割数を取得する（Ｓ１２）。そして、原稿のサイズと転写紙のサイズ及び分割数とから、変倍率を算出する（Ｓ１３）。
【００１８】
なお例えば、転写紙のサイズが、幅：Ｗｃｍ、高さ：Ｈｃｍ、のりしろ：Ｓｃｍ（縦横で共通）、分割数：Ｎ×Ｎであるとすると、Ｎ×Ｎ枚の転写紙を貼り合わせたサイズは幅：（Ｗ−Ｓ×（Ｎ−１））ｃｍ、高さ：（Ｈ−Ｓ×（Ｎ−１））ｃｍとなる。従って、もとの原稿のサイズと、この貼り合わせたサイズとを比較して変倍率を算出すればよい。あるいは、のりしろを考慮せずに変倍率を算出してもよい。
次に、ＣＰＵ１０１は、分割数に基づき、貼り合わせののりしろ幅も考慮して原稿上に各転写紙と対応する読取領域を設定する（Ｓ１４）。
【００１９】
図３に、３×３分割の場合の読取領域を、左上から右に向かって１枚目、２枚目、・・・、というように設定する場合の設定例を示す。のりしろがあるため、図３に示すように、各転写紙と対応する読取領域は一部重ねて設定することになる。この重なる部分の画像は、複数枚の転写紙に形成されることになる。
【００２０】
図２に戻ると、次に、ＣＰＵ１０１は、ステップＳ１４で設定した各読取領域の原稿の画像を読み取り、得られた画像データを、図４に示すようにステップＳ１３で算出した変倍率に従って拡大する（Ｓ１５）。なおここでは、読み取りを各読取領域に対応してＮ×Ｎ回行ってもよいし、１回の読み取りで得た画像から、各読取領域と対応する部分をそれぞれ切り出してもよい。
【００２１】
また、ＣＰＵ１０１は、原稿の方向と転写紙の方向及び分割数から、転写紙への画像の面付け方向を決定する（Ｓ１６）。この処理は、原稿が縦長で、転写紙を分割数分組み合わせたサイズが横長であれば、原稿の画像を９０°あるいは２７０°回転させて転写紙上に形成する等、回転角を決定するものである。
その後、ＣＰＵ１０１は、ステップＳ１６で決定した面付け方向に従って、ステップＳ１５で得た画像データを回転して、各転写紙と対応する画像データを生成する（Ｓ１７）。
【００２２】
図２の処理は画像データの生成までを示しているのでここで終了であるが、その後、ＣＰＵ１０１は、制御手段として機能して、生成した画像データに基づき画像形成手段を制御し、各転写紙に画像を形成させる。以上により、複数枚貼り合わせると原稿の画像を拡大した画像が得られるように、複数枚の転写紙上に画像を形成することができる。なお、図２の処理において、ＣＰＵ１０１は画像加工手段として機能する。
【００２３】
次に、画像付加機能を使用して画像形成を行う場合にＭＦＰ１０のＣＰＵ１０１が実行する処理について説明する。
図５は、この処理のフローチャートである。また、図６に、そのフローチャートの各ステップにおける処理の内容を模式的に示す。なお、図５の処理は、原稿の画像を、使用する転写紙のサイズ及び方向に合わせて拡縮及び回転する用紙指定変倍も同時に行う場合について示している。また、画像付加機能を使用するに当たっては、原稿の画像に付加すべき付加画像及びその付加位置を設定するものとする。ユーザがこれらの値のいずれかを設定しなかった場合、ＣＰＵ１０１が自動的に所定のデフォルト値を設定する。
【００２４】
図５の処理において、ＣＰＵ１０１はまず、載置された原稿のサイズ及び方向を取得する（Ｓ２１）。また、設定された転写紙のサイズ及び方向を取得する（Ｓ２２）。そして、原稿のサイズと転写紙のサイズとから、変倍率を算出する（Ｓ２３）。
次に、ＣＰＵ１０１は、原稿の画像を読み取り、得られた画像データを、ステップＳ２３で算出した変倍率に従って変倍する（Ｓ２４）。そして、原稿の方向と転写紙の方向から、転写紙への画像の面付け方向を決定する（Ｓ２５）。この処理は、原稿が縦長で、転写紙が横長であれば、原稿の画像を９０°あるいは２７０°回転させて転写紙上に形成する等、回転角を決定するものである。
【００２５】
その後、ＣＰＵ１０１は、ステップＳ２５で決定した面付け方向に従って、ステップＳ２４で得た画像データを回転して、転写紙に形成する画像の画像データを生成する（Ｓ２６）。
次に、ＣＰＵ１０１は、付加画像とその付加位置の設定を取得する（Ｓ２７）。そして、ステップＳ２５で決定した面付け方向に従って付加画像と付加位置も回転させ（Ｓ２８）、ステップＳ２６で得た回転後の画像データの、ステップＳ２８で得た回転後の付加位置に、回転後の付加画像を付加する（Ｓ２９）。この付加は、単なる上書きではなく、画素毎のＯＲ演算等により行ってもよい。付加画像が文字列の画像である場合、文字のない部分は付加前の画像データの内容を維持するようにするとよい。
【００２６】
図５の処理も、画像データの生成までを示しているのでここで終了であるが、その後、ＣＰＵ１０１は、生成した画像データに基づき画像形成手段を制御して、各転写紙に画像を形成させる。以上により、原稿を読み取って得た画像に、任意の付加画像を付加して転写紙上に画像形成することができる。
【００２７】
次に、ＭＦＰ１０が上述した拡大連写機能及び画像付加機能に関する設定を受け付けるための画面の例を示す。
図７は、拡大連写機能に関する設定を受け付けるための拡大連写設定画面の例を示す図である。
この拡大連写設定画面２１０は、ユーザの指示に応じて表示部１０７に表示される画面であり、分割数設定部２１１と、転写紙設定部２１２とを備える。
【００２８】
分割数設定部２１１は、上述した分割数を設定するための領域であり、各枚数と対応するボタンを操作することにより、分割数を択一的に設定することができる。ボタンの上の図は、画像の形成順を示す。また、図７に示したもの以外の分割数を設定できるようにしてもよい。
転写紙設定部２１２は、転写紙のサイズ及び向きを設定するための領域であり、ＭＦＰ１０が備える各給紙トレイと対応する選択肢のいずれかを、ラジオボタンにより選択することができる。手差しトレイ等を用いて、任意のサイズ及び向きを設定できるようにしてもよい。
【００２９】
図８は、画像付加機能に関する設定を受け付けるための画像付加設定画面の例を示す図である。
この画像付加設定画面２２０も、ユーザの指示に応じて表示部１０７に表示される画面であり、付加画像表示部２２１、付加位置設定部２２２、付加位置調整部２２３、付加シート設定部２２４を備える。
【００３０】
付加画像表示部２２１は、別画面で設定した付加画像又はその名称を表示する領域である。図８では、ユーザ名の文字列を付加すべきことが設定されている例を示している。
付加位置設定部２２２は、付加画像を付加する大まかな位置を、位置と対応するボタンにより設定するための領域である。図８では、右下が設定されている例を示している。
付加位置調整部２２３は、付加位置の用紙端からの距離を設定し、付加位置の微調整を行うための領域である。
【００３１】
付加シート設定部２２４は、付加画像を全転写紙に付加するか、１枚のみに付加するかを設定するための領域である。拡大連写機能と画像付加機能とを同時に使用する場合、全シートに付加する設定は、分割数分の転写紙の全てにおいてそれぞれ、付加位置設定部２２２及び付加位置調整部２２３で設定した付加位置に該当する位置に付加画像を付加することを意味する。また、１枚のみに付加する設定は、複数枚の転写紙を貼り合わせた場合に、画像全体の中で付加画像が付加位置設定部２２２及び付加位置調整部２２３で設定した付加位置に該当する位置に来るように、１枚の転写紙に形成する画像に付加画像を付加することを意味する。
【００３２】
以下、図７及び図８に示した画面での設定に従ってＭＦＰ１０が実行する画像形成処理について、いくつかの例を説明する。ＭＦＰ１０は、以下に説明する処理のいずれかを実行するのみでもよいし、何らかの設定に従って複数の処理を切り替えて実行できるようにしてもよい。
【００３３】
〔画像形成処理の第１例：図９，図１０〕
まず、ＭＦＰ１０のＣＰＵ１０１が実行する画像形成処理の第１例を、図９に示す。また、図１０に、そのフローチャートの各ステップにおける処理の内容を模式的に示す。なお、この第１例においては、付加シート設定部２２４でなされる設定は考慮しない。
ＭＦＰ１０のＣＰＵ１０１は、画像形成の実行を指示されると、図９のフローチャートに示す処理を開始する。
【００３４】
そしてまず、拡大連写機能が設定されているか否か判断し（Ｓ４１）、されていなければ、設定されているその他の機能に応じた画像の読み取り（Ｓ４９）と画像データの加工（Ｓ５０）を行って、その結果の画像データに基づき画像形成を実行する（Ｓ５１）。この部分の処理については、詳細な説明は省略する。
一方、ステップＳ４１で拡大連写機能が設定されていれば、ＣＰＵ１０１は、図２に示した拡大連写画像生成処理により、各転写紙と対応する画像データを生成する（Ｓ４２）。
【００３５】
その後、ＣＰＵ１０１は、画像付加機能が設定されているか否か判断する（Ｓ４３）。ここでＮｏであれば、これ以上画像データを加工する必要がないので、生成した画像データに基づき各転写紙への画像形成を実行し（Ｓ４８）、処理を終了する。この場合の出力結果は、図３に示したような単なる拡大連写である。ただし、ここで考慮していない他の機能に従った加工を行うことも妨げられない。
【００３６】
一方、ステップＳ４３でＹｅｓである場合、ＣＰＵ１０１は、ステップＳ４３以下の画像付加に関する処理に進む。そしてまず、付加画像とその付加位置の設定を取得する（Ｓ４４）と共に、図２のステップＳ１６で決定した面付け方向に従って付加画像と付加位置を回転させる（Ｓ４５）。その後、ＣＰＵ１０１は、面付け方向及び分割数から、のりしろも考慮して、原稿画像中で回転後の付加位置に該当する位置が、何枚目の転写紙のどの位置であるかを特定する（Ｓ４６）。
【００３７】
例えば、図１０の例では、付加位置の設定は右下であるが、ステップＳ４５での回転によりこの位置は右上に変更される。用紙端からの距離も、右端からの距離が上端からの距離に、下端からの距離が右端からの距離にそれぞれ置き換えられる。そして、これらの情報から、４枚の転写紙に、図７に示したように左上、右上、左下、右下の順で画像を形成する場合、右上と対応する２枚目の転写紙の右上に付加画像を付加すべきことを特定できる。
【００３８】
ＣＰＵ１０１は、ステップＳ４６で特定した転写紙と対応する画像データ中の、ステップＳ４６で特定した位置に、ステップＳ４５での回転後の付加画像を付加して（Ｓ４７）、画像付加に関する処理を終了する。この付加の処理は、付加位置以外は図５のステップＳ２９の場合と同様に行うことができる。
そして、ここまでに生成した画像データに基づき各転写紙への画像形成を実行し（Ｓ４８）、図９の処理を終了する。
【００３９】
以上の処理において、ＣＰＵ１０１はステップＳ４４では付加画像取得手段として機能し、ステップＳ４５乃至Ｓ４７では画像付加手段として機能する。
そして、以上の処理によれば、ＭＦＰ１０は、拡大連写機能に係る複数枚の転写紙を貼り合わせた状態で、その貼り合わせた転写紙全体の中で付加画像が設定された付加位置に該当する位置に配置されるように、一の転写紙と対応する画像データに付加画像を付加することができる。従って、拡大連写機能と画像付加機能を同時に使用しても自然な仕上がりの画像を得ることができる。
【００４０】
〔画像形成処理の第２例：図１１乃至図１５〕
次に、ＭＦＰ１０のＣＰＵ１０１が実行する画像形成処理の第２例について説明する。この処理は、図９のステップＳ４４乃至Ｓ４７の処理に代えて図１１の処理を実行する点が第１例と異なるのみであるので、この部分についてのみ説明する。図１１の処理は、付加シート設定部２２４でなされる設定を考慮し、全ページに付加画像を付加する場合の処理を図９の処理に追加したものである。そこで、このことに伴う図９との相違点を中心に説明する。
【００４１】
図１１の処理において、ＣＰＵ１０１は、ステップＳ４５の後、付加画像を転写紙１枚のみに付加する設定がなされているか否か判断する（Ｓ６１）。１枚のみの場合、以後、図９と同じ処理を行う（Ｓ４６，Ｓ４７）。一方、１枚のみでない場合、全シートに付加することが設定されているため、これに応じた処理を行うべくステップＳ６２に進む。
そして、ＣＰＵ１０１は、のりしろを考慮して、各転写紙内でステップＳ４５での回転後の付加位置に該当する位置がどの位置であるかを特定する（Ｓ６２）。
【００４２】
ここで、図１２を用いて、のりしろを考慮した付加位置の特定について説明する。
図１２に示すように、２枚の転写紙２３０ａ，２３０ｂを、転写紙２３０ａが上になるように貼り合わせる場合を考える。実線２３１ａが用紙２３０ａの左端であり、破線２３２ｂが転写紙２３０ｂの右端である。ただし、破線２３２ｂで示す右端は転写紙２３０ａに隠れて見えないので、見える範囲での転写紙２３０ｂの右端は、実線２３１ａとなる。
【００４３】
一方、ＭＦＰ１０において、付加位置は、図８を用いて説明したように、転写紙上を大まかに区分した位置と、紙端からの距離により特定される。ここで、転写紙の右下で、右端からＸｍｍの位置が付加位置である場合について考える。
転写紙２３０ａについては、右端からＸｍｍの位置を付加位置２３３ａとすれば、転写紙２３０ｂと貼り合わせた状態でもそのままの位置に付加画像が表れる。従って、右端からＸｍｍの位置をそのまま付加位置とすればよい。
しかし、転写紙２３０ｂについては、右端からＸｍｍの位置を付加位置とすると、転写紙２３０ａと貼り合わせた状態では、右側Ａｍｍが隠れてしまうため、見かけ上の紙端である実線２３１ａからの距離は（Ｘ−Ａ）ｍｍしかなくなってしまう。また、Ｘ＜Ａであれば、付加画像の一部が転写紙２３０ａによって覆い隠されてしまう。
【００４４】
図１１の処理では、このような事態を防止するため、転写紙２３０ｂにおける付加位置２３３ｂを、転写紙２３０ａと貼り合わせた状態での見かけ上の右端からＸｍｍの位置に設定するようにしている。この位置は、実際の紙端から測ると、設定された紙端からの距離にのりしろの幅を加えた（Ｘ＋Ａ）ｍｍの距離である。
この位置が、拡大連写に係る複数枚の転写紙を貼り合わせた場合における、転写紙２３０ｂ内での付加位置に該当する位置である。図１２では、図で左右方向の位置の設定について説明したが、上下方向についても同様に考えることができる。
なお、貼り合わせる際にどちらの転写紙を上にするかは、予め定めておく。さらに、下になる転写紙については、画像に線を付加する等して、貼り合わせの際に下にすべきこと及びのりしろの幅を示すようにするとよい。
【００４５】
図１１の説明に戻る。
ステップＳ６２の後、ＣＰＵ１０１は、各転写紙と対応する画像データの、該転写紙についてステップＳ６２で特定した位置に、ステップＳ４５での回転後の付加画像を付加する（Ｓ６３）。この付加の処理は、付加位置以外は図５のステップＳ２９やステップＳ４７の場合と同様に行うことができる。
その後、処理は図９のステップＳ４８に進み、ＣＰＵ１０１は、ここまでに生成した画像データに基づき各転写紙への画像形成を実行する。
【００４６】
以上の処理によれば、全シートへの付加画像の付加が設定されている場合に、拡大連写に係る複数枚の記録媒体を貼り合わせた状態で、付加画像が、その貼り合わせた記録媒体の各々の中で付加位置に該当する位置に配置されるように、付加画像を付加することができる。従って、拡大連写機能と画像付加機能を同時に使用しても自然な仕上がりの画像を得ることができる。
【００４７】
図１３が、付加画像を転写紙１枚のみに付加する設定がなされている場合の仕上がり例（分割数分の画像形成済み転写紙を貼り合わせた状態の例）、図１４が、付加画像を全転写紙に付加する設定がなされている場合の仕上がり例である。いずれの場合も、転写紙を貼り合わせた場合に付加画像が他の転写紙で覆われてしまうことがない、自然な仕上がりになっている。また、図１４の例では、画像の形成された面から見た場合の各転写紙の見かけ上の輪郭線から一定距離に付加画像が配置され、この点でも自然な外観の仕上がりであると言える。
【００４８】
なお、比較例として、図１５に、各転写紙において実際の用紙端から一定距離に付加画像を付加した場合の仕上がり例を示す。この場合、用紙端からの距離が短いと、転写紙を貼り合わせる際に付加画像が他の転写紙で覆われてしまう場合がある。また、各転写紙の見かけ上の輪郭線から付加画像までの距離もまちまちとなり、不自然な仕上がりとなってしまう。図１１の処理を実行することにより、このような事態を防止できる。
【００４９】
〔画像形成処理の第３例：図１６，図１７〕
次に、ＭＦＰ１０のＣＰＵ１０１が実行する画像形成処理の第３例について説明する。この処理は、図１１のステップＳ４７及びＳ６３での付加画像の付加処理として、図１６に示す処理を実行する点が第２例と異なるのみであるこの部分についてのみ説明する。
図１６の処理は、転写紙１枚と対応する画像データへの付加画像の付加に際し、付加画像が、付加先の画像データ中の文字等と重ならないように、付加位置を調整して付加する処理である。ステップＳ６３のように複数枚の転写紙と対応する画像データについて付加画像の付加を行う場合、転写紙１枚毎に図１６の処理を実行する。
【００５０】
図１６の処理において、ＣＰＵ１０１はまず、付加画像を付加する範囲の画像データが、均一な色かつ付加画像中の文字色と異なるか否か判断する（Ｓ７１）。付加画像を付加する範囲とは、図１１のステップＳ４６又はＳ６２で特定された付加位置を基点として付加画像を配置する位置である。この範囲で画像データが均一な色であれば、その範囲は背景に該当する部分であり、画像の付加に適すると考えられる。また、付加画像中の文字色と比較するのは、背景の色と文字色とが同じであると、その部分に画像を付加しても文字が認識できないと考えられるためである。
【００５１】
なお、付加画像に複数色が用いられている場合には、そのいずれとも異なる場合にＹｅｓとしてもよい。あるいは、多数の色が用いられている場合には、そのうち１色が背景色であっても影響が少ないため、色の比較は省略してもよい。
そして、ステップＳ７１でＹｅｓであれば、ＣＰＵ１０１は、現在の付加位置に付加画像を付加して問題ないと判断し、その付加を行い（Ｓ７２）、元の処理に戻る。
【００５２】
一方、ステップＳ７１でＮｏであれば、ＣＰＵ１０１は、試行回数が所定回数に達するまで（Ｓ７３）、付加位置を所定量ずつずらして（Ｓ７４）、ステップＳ７１の判定を繰り返す。すなわち、付加位置を少しずつずらしつつ、付加に適した位置を探索する。ずらす方向及び距離は、任意に定めればよい。
所定回数以内にステップＳ７１の判断がＹｅｓになれば、ＣＰＵ１０１はその時点の付加位置に付加画像を付加する（Ｓ７２）。所定回数試行してもステップＳ７１の判断がＹｅｓにならなければ、ＣＰＵ１０１は、好適な付加位置はみつからなかったと判断する。そして、付加位置を当初の（図１６の処理開始時の）値に戻して（Ｓ７５）、その付加位置に付加画像を付加する（Ｓ７２）。
【００５３】
以上の処理によれば、付加画像がなるべく付加先の画像において文字等と重ならないように背景となる位置に配置することできる。従って、付加画像を見やすくすることができる。
図１７に、図１６の処理により付加画像を付加した場合の仕上がり例を示す。図１４の例と比較し、付加画像の「ＲＩＣＯＨ」の文字列を、原稿の読み取りで得た画像中の「Ｒ」の文字と重ならないように配置でき、付加画像が見やすい仕上がりとなっている。
【００５４】
〔画像形成処理の第４例：図１８、図１９〕
次に、ＭＦＰ１０のＣＰＵ１０１が実行する画像形成処理の第４例について説明する。この処理は、図９のステップＳ４４乃至Ｓ４７の処理に代えて図１８の処理を実行する点が第１例及び第２例と異なるのみであるので、この部分についてのみ説明する。
また、この第４例は、画像付加機能に関する設定として、図８を用いて説明した設定の他、特定の付加画像を全転写紙に付加する強制付加の設定を行うことが可能な場合を想定している。この強制付加の設定は、画像形成を行おうとするユーザが自身で行うようにしてもよい。しかし、一般ユーザが変更できないように管理者権限でＭＦＰ１０に設定したり、保存済みのファイルの属性として設定したりできるようにしたり、読み取った画像中に特定のパターンを検出した場合に設定したりすることも考えられる。
【００５５】
図１８の処理は、強制付加の設定を考慮し、強制付加を実行する場合の処理を図１１の処理にさらに追加したものである。そこで、このことに伴う図１１との相違点を中心に説明する。
図１８の処理において、ＣＰＵ１０１は、ステップＳ４５の後、強制付加の設定に関する情報を取得し、強制付加の設定がなされているか否か判断する（ＳＡ）。このステップＳＡの処理において、ＣＰＵ１０１は、強制設定取得手段として機能する。
【００５６】
ステップＳＡでＹｅｓの場合、ＣＰＵ１０１は、ステップＳ４４で取得した付加画像を強制付加用の画像に差し替える（ＳＢ）。このとき、ステップＳ４５で行った回転も反映させるとよい。また、付加位置についてはユーザの設定に従う。すなわち、ステップＳ４５での回転後の付加位置をそのまま維持する。そして、全転写紙に画像を付加する場合と同様にステップＳ６２以下の処理を実行する。
一方、ステップＳＡでＮｏであれば、ステップＳ６１に進み、以下の処理は図１１と同じである。
【００５７】
以上の処理によれば、強制付加の設定に応じて、特定の画像を全転写紙に付加した出力を、転写紙を貼り合わせた場合でも隠れないような仕上がりで行うことができる。強制付加は、出力物が複製であることを示したり、複製物の権利者を表示したりする場合に利用することが考えられる。このような場合に表示が隠れてしまうと不都合であるので、上記のように隠れないように付加できることは有用である。
図１９に、図１８の処理により付加画像を付加した場合の仕上がり例を示す。図１７の例と比較し、付加画像として、強制付加用の「Seculity  inji」の文字列を全転写紙に配置でき、強制付加の処理がされた出力であることを目立つように表示した仕上がりとなっている。
【００５８】
〔画像形成処理の第５例：図２０乃至図２２〕
次に、ＭＦＰ１０のＣＰＵ１０１が実行する画像形成処理の第５例について説明する。この処理は、図１６の処理に代えて図２０の処理を実行する点が第３例と異なるのみであるので、この部分についてのみ説明する。この第５例は、付加画像が文字列の画像であって転写紙１枚に収まらない場合に、転写紙１枚に収まるようにその文字列を途中で改行した画像を付加するものである。
【００５９】
図２０の処理において、ＣＰＵ１０１はまず、付加画像を付加する範囲が１枚分の転写紙のサイズ内に収まるか否か判断する（Ｓ８１）。これがＹｅｓであれば、特に問題ないので、単に画像データ中の付加位置に付加画像を付加して（Ｓ８２）、元の処理に戻る。
一方、ステップＳ８１でＮｏであり、かつ付加画像が文字列の画像である場合（Ｓ８３）、付加画像を、文字列を途中で改行したものに差し替える（Ｓ８４）。改行の位置は、適当なアルゴリズムに従って自動で定めればよい。概ね均等に区切る、転写紙１枚分の幅毎に区切る、等が考えられる。単語の切れ目等を意識して改行位置を設定してもよい。
【００６０】
いずれにせよ、ステップＳ８４の後は、ステップＳ８１に戻り、ステップＳ８１でＹｅｓとなるまで処理を繰り返す。Ｙｅｓとなったら、その時点の付加画像を用いてステップＳ８２の付加を行う。
また、ステップＳ８３でＮｏの場合、改行によって付加画像を１枚の転写紙内に収めることはできないため、そのままステップＳ８２で付加を行う。この場合、付加画像が一部切れてしまうが、やむを得ないこととする。
【００６１】
以上の処理によれば、付加画像が文字列の場合に複数枚の転写紙にまたがらないように付加を行うことができる。複数枚の転写紙にまたがると、貼り合わせ時に位置ずれが生じる等して不自然な外観になることもあるが、図２０の処理によりこのような事態を防止できる。
図２１に、図２０の処理により付加画像を付加した場合の仕上がり例を示す。図２１の例では、長い文字列を画像の右下に付加しようとした場合に、自動的に改行を入れて、１枚の転写紙内に収めるようにしている。
【００６２】
なお、付加画像が１枚の転写紙に収まらない場合に、図２２に示すように、あえて２枚の転写紙に分けて形成することも考えられる。この場合、図２０のステップＳ８１でＮｏであれば、付加画像のうち処理中の転写紙の領域内に収まる範囲のみステップＳ８２で付加を行い、その後、収まらなかった部分のみを付加画像として、隣接する転写紙について再度図２０の処理を実行すればよい。この場合、付加位置は、図１２を用いて説明したように、のりしろの分だけずらすものとする。
【００６３】
〔画像形成処理の第６例：図２３〕
次に、ＭＦＰ１０のＣＰＵ１０１が実行する画像形成処理の第６例について説明する。この処理は、図１６の処理に代えて図２３の処理を実行する点が第３例と異なるのみであるので、この部分についてのみ説明する。この第６例は、付加画像が転写紙１枚に収まらない場合に、画像形成自体を中止するものである。
【００６４】
図２３の処理において、ＣＰＵ１０１はまず、図２０の場合と同様、付加画像を付加する範囲が１枚分の転写紙のサイズ内に収まるか否か判断する（Ｓ８１）。ここでＹｅｓであれば、画像データ中の付加位置に付加画像を付加して（Ｓ８２）、元の処理に戻る。しかし、Ｎｏであれば、画像形成を中止してその旨をユーザに通知し（Ｓ８５）、そのまま処理を終了する。
以上の処理によれば、付加画像が複数枚の転写紙にまたがってしまう場合に、画像形成自体を中止できる。付加画像が複数枚の転写紙にまたがると不都合な場合には、画像形成自体を中止してしまうことにより、無駄にサプライや時間を費やすことを防止できる。
【００６５】
〔変形例〕
以上で実施形態の説明を終了するが、この発明において、装置の具体的な構成、具体的な処理の手順、データの構成、拡大連写の枚数、転写紙の並び順、付加画像の内容、付加位置の定め方等は、実施形態で説明したものに限るものではない。
例えば、上述した実施形態においても多少述べたが、拡大連写機能と画像付加機能を併用する場合、画像の拡大倍率に応じて、付加画像も拡大して付加するようにしてもよい。この場合、単に画像として拡大するだけでなく、付加画像が文字列に係る画像であれば、フォントサイズの調整により実質的な拡大を行うことができる。
【００６６】
一例として、図２４に示すように、拡大倍率とフォントサイズとを対応付けてＭＦＰ１０に設定しておき、図２のステップＳ１３で算出した拡大倍率と対応するフォントサイズを用いて文字列から付加画像を生成することが考えられる。
なお、付加画像は文字列の画像に限らず、ビットマップ等のイメージデータにより用意された画像でもよいことはもちろんである。
【００６７】
また、この発明を適用する対象は、画像形成装置や画像形成システムに限られず、単に画像を処理して画像形成装置や画像形成システムにおける画像形成に供する画像処理装置や画像処理システムであっても構わない。
また、上述したＭＦＰ１０が備える画像処理機能を、複数の装置に分散して設け、それら複数の装置を協働させてその画像処理機能を実現させることも妨げられない。この場合、それら複数の装置が画像処理システムを構成する。
【００６８】
また、この発明のプログラムの実施形態は、コンピュータに所要のハードウェアを制御させて上述した実施形態におけるＭＦＰ１０の機能（特に拡大連写機能及び画像付加機能）を実現させるためのプログラムである。
【００６９】
このようなプログラムは、はじめからコンピュータに備えるＲＯＭや他の不揮発性記憶媒体（フラッシュメモリ，ＥＥＰＲＯＭ等）などに格納しておいてもよい。しかし、メモリカード、ＣＤ、ＤＶＤ、ブルーレイディスク等の任意の不揮発性記録媒体に記録して提供することもできる。それらの記録媒体に記録されたプログラムをコンピュータにインストールして実行させることにより、上述した各手順を実行させることができる。
【００７０】
さらに、ネットワークに接続され、プログラムを記録した記録媒体を備える外部装置あるいはプログラムを記憶手段に記憶した外部装置からダウンロードし、コンピュータにインストールして実行させることも可能である。
また、以上説明してきた各実施形態及び変形例の構成は、相互に矛盾しない限り任意に組み合わせて実施可能であることは勿論である。
【符号の説明】
【００７１】
１０：ＭＦＰ、１０１：ＣＰＵ、１０２：ＲＯＭ、１０３：ＲＡＭ、１０４：ＨＤＤ、１０５：通信Ｉ／Ｆ、１０６：操作部、１０７：表示部、１０８：エンジンＩ／Ｆ、１０９：エンジン部、１１０：システムバス、２１０：拡大連写設定画面、２１１：分割数設定部、２１２：転写紙設定部、２２０：画像付加設定画面、２２１：付加画像表示部、２２２：付加位置設定部、２２３：付加位置調整部、２２４：付加シート設定部、２３０ａ，２３０ｂ：転写紙、２３３ａ，２３３ｂ：付加位置
【先行技術文献】
【特許文献】
【００７２】
【特許文献１】特開平１１−６９１３９号公報
【図１】
0006361401.tif 000002
【図２】
0006361401.tif 000003
【図３】
0006361401.tif 000004
【図４】
0006361401.tif 000005
【図５】
0006361401.tif 000006
【図６】
0006361401.tif 000007
【図７】
0006361401.tif 000008
【図８】
0006361401.tif 000009
【図９】
0006361401.tif 000010
【図１０】
0006361401.tif 000011
【図１１】
0006361401.tif 000012
【図１２】
0006361401.tif 000013
【図１３】
0006361401.tif 000014
【図１４】
0006361401.tif 000015
【図１５】
0006361401.tif 000016
【図１６】
0006361401.tif 000017
【図１７】
0006361401.tif 000018
【図１８】
0006361401.tif 000019
【図１９】
0006361401.tif 000020
【図２０】
0006361401.tif 000021
【図２１】
0006361401.tif 000022
【図２２】
0006361401.tif 000023
【図２３】
0006361401.tif 000024
【図２４】
0006361401.tif 000025
【図２５】
0006361401.tif 000026
【図２６】
0006361401.tif 000027